【手続補正書】
【提出日】平成26年5月23日(2014.5.23)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンにおいて、
表示結果が導出されるよりも前に、導出が許容される表示結果を決定する事前決定手段と、
遊技者が表示結果を導出するために操作する導出操作手段と、
前記事前決定手段の決定結果と前記導出操作手段の操作態様とに応じて前記表示結果を導出する導出制御手段と、
遊技者にとって有利な特別状態に制御することを許容する旨の決定に基づいて、該特別状態に制御する特別状態制御手段と、
前記特別状態とは異なる特定状態に制御する手段であって、第１特定条件の成立に基づいて該特定状態のうちの第１特定状態に制御し、該第１特定条件とは異なる第２特定条件の成立に基づいて該特定状態のうちの前記第１特定状態よりも遊技者にとって有利な状態である第２特定状態に制御する特定状態制御手段と、
前記第１特定状態または前記第２特定状態に制御されているときにおいて前記特別状態に制御することを許容する旨が決定されたときに、該第１特定状態または該第２特定状態を終了させる特定状態終了手段と、
前記第１特定状態または前記第２特定状態に制御されているときにおいて前記特別状態に制御することを許容する旨が決定されたときに、前記特別状態への制御とも前記特定状態への制御とも異なる特典を遊技者に付与可能な特典付与手段とを備え、
前記特定状態制御手段は、前記第１特定状態に制御されているときにおいて第２特定条件が成立したときに、該第１特定状態を終了させて前記第２特定状態に制御する第２特定状態切替手段を含み、
前記特典付与手段は、前記第２特定状態に制御されているときにおいて前記特別状態に制御することを許容する旨が決定されたときには、前記第１特定状態に制御されているときにおいて前記特別状態に制御することを許容する旨が決定されたときよりも遊技者にとって有利となるように、前記特典を付与し、
前記スロットマシンは、
前記特典付与手段によって付与された特典に応じた期間に亘って、前記事前決定手段により前記導出操作手段が特定操作態様で操作されたことを条件に導出される特定表示結果の導出を許容する旨が決定されたときに、該特定操作態様を特定することが可能となる情報を遊技者に報知する特定操作態様報知手段をさらに備える
ことを特徴とするスロットマシン。
【手続補正２】
【補正対象書類名】明細書
【補正対象項目名】０００１
【補正方法】変更
【補正の内容】
【０００１】
本発明は、スロットマシンに関し、特に遊技者にとって有利な特別状態とは異なる特定状態として、第１特定状態と第２特定状態とに制御され得るスロットマシンに関する。
【手続補正３】
【補正対象書類名】明細書
【補正対象項目名】０００８
【補正方法】変更
【補正の内容】
【０００８】
本発明は、特別状態への制御を許容する旨が決定されるまでに、第１特定状態と第２特定状態の何れに制御されることとなるかを遊技者に注目させ、遊技の興趣を向上させることのできるスロットマシンを提供することを目的とする。
【手続補正４】
【補正対象書類名】明細書
【補正対象項目名】０００９
【補正方法】変更
【補正の内容】
【０００９】
上記目的を達成するため、本発明にかかるスロットマシンは、
各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシン（スロットマシン１）において、
表示結果が導出されるよりも前に、導出が許容される表示結果を決定する事前決定手段（ＣＰＵ１１１：内部抽選（図７））と、
遊技者が表示結果を導出するために操作する導出操作手段（停止ボタン１２Ｌ、１２Ｃ、１２Ｒ）と、
前記事前決定手段の決定結果と前記導出操作手段の操作態様とに応じて前記表示結果を導出する導出制御手段（ＣＰＵ１１１：リール３Ｌ、３Ｃ、３Ｒの停止制御）と、
遊技者にとって有利な特別状態（ビッグボーナス、レギュラーボーナス）に制御する特別状態制御手段（ＣＰＵ１１１（図８））と、
前記特別状態とは異なる特定状態（ＲＴ）に制御する手段であって、第１特定条件（特殊出目の導出（図６）、転落リプレイ入賞（図１２））の成立に基づいて該特定状態のうちの第１特定状態（不利ＲＴ（図１２））に制御し、該第１特定条件とは異なる第２特定条件（転落リプレイ入賞（図６）、９択役（１）〜（９）入賞（図１２））の成立に基づいて該特定状態のうちの前記第１特定状態よりも遊技者にとって有利な状態である第２特定状態（有利ＲＴ（図１２））に制御する特定状態制御手段（ＣＰＵ１１１（図８））と、
前記第１特定状態または前記第２特定状態に制御されているときにおいて前記特別状態に制御することを許容する旨が決定されたときに、該第１特定状態または該第２特定状態を終了させる特定状態終了手段（ＣＰＵ１１１（図８））と、
前記第１特定状態または前記第２特定状態に制御されているときにおいて前記特別状態に制御することを許容する旨が決定されたときに、前記特別状態への制御とも前記特定状態への制御とも異なる特典（転落リプレイの当選が報知されるＡＴに制御するためのＡＴ権利）を遊技者に付与可能な特典付与手段（ＣＰＵ１２１（ステップＳ１０５、Ｓ１０６））とを備え、
前記特定状態制御手段は、前記第１特定状態に制御されているときにおいて第２特定条件（転落リプレイ入賞）が成立したときに、該第１特定状態を終了させて前記第２特定状態に制御する第２特定状態切替手段（ＣＰＵ１１１（図８））を含み、
前記特典付与手段は、前記第２特定状態に制御されているときにおいて前記特別状態に制御することを許容する旨が決定されたときには、前記第１特定状態に制御されているときにおいて前記特別状態に制御することを許容する旨が決定されたときよりも遊技者にとって有利となるように、前記特典を付与し、
前記スロットマシンは、
前記特典付与手段によって付与された特典に応じた期間に亘って、前記事前決定手段により前記導出操作手段が特定操作態様で操作されたことを条件に導出される特定表示結果の導出を許容する旨が決定されたときに、該特定操作態様を特定することが可能となる情報を遊技者に報知する特定操作態様報知手段をさらに備える
ことを特徴とする。
【手続補正５】
【補正対象書類名】明細書
【補正対象項目名】００１０
【補正方法】変更
【補正の内容】
【００１０】
上記スロットマシンでは、特別状態に制御することを許容する旨が決定されたことに基づいて、遊技者にとって有利な特別状態に制御される。また、特別状態の他に特定状態があるが、この特定状態には、第１特定状態と該第１特定状態よりも遊技者にとって有利な特定状態である第２特定状態とがある。第１特定状態と第２特定状態の何れも、特別状態に制御することを許容する旨が決定されると、その時点で終了させられることとなる。第２特定条件の成立によって、第１特定状態から第２特定状態に制御される。
【手続補正６】
【補正対象書類名】明細書
【補正対象項目名】００１１
【補正方法】変更
【補正の内容】
【００１１】
また、第１特定状態または第２特定状態に制御されているときに特別状態に制御することを許容する旨が決定されると、特別状態への制御とも特定状態への制御とも異なる特典が、遊技者に付与されるものとなる。もっとも、特別状態に制御することを許容する旨が決定されたときにおいて付与される特典の有利度は、第１特定状態に制御されていたときよりも第２特定状態に制御されていたときの方が高くなっている。
このため、特別状態に制御することを許容する旨が決定されるまでに、第１特定状態と第２特定状態との何れに制御されるかに遊技者を注目させることができ、遊技の興趣を向上させることができる。また、第１特定状態に一旦制御されたときに、特別状態に制御することを許容する旨が決定されるかだけではなく、第２特定条件が成立するかにも遊技者を注目させることができ、遊技の興趣を向上させることができる。
【手続補正７】
【補正対象書類名】明細書
【補正対象項目名】００１２
【補正方法】変更
【補正の内容】
【００１２】
また、第１特定状態において第２特定条件が成立すること（すなわち、遊技者にとって有利な第２特定状態に制御されること）に対して遊技者に期待感を与えることができ、さらに遊技の興趣を向上させることができる。
さらに、第１特定状態において第２特定条件が成立することに対して遊技者に期待感を与えることができ、さらに遊技の興趣を向上させることができる。しかも、第１特定状態を遊技者にとって不利な特定状態、第２特定状態を遊技者にとって有利な特定状態としたことで、第２特定条件の成立に対する遊技者の期待感をより一層大きなものとすることができる。
【手続補正８】
【補正対象書類名】明細書
【補正対象項目名】００１３
【補正方法】変更
【補正の内容】
【００１３】
なお、特典付与手段が第２特定状態に制御されていたときに第１特定状態に制御されていたときよりも遊技者にとって有利となるように特典を付与するとは、特典の有利度の期待値が異なればよいことを意味する。第２特定状態において遊技者に付与される特典が第１特定状態において遊技者に付与される特典よりも常に遊技者にとって有利なものとしなければならない訳ではない。
【手続補正９】
【補正対象書類名】明細書
【補正対象項目名】００１４
【補正方法】変更
【補正の内容】
【００１４】
上記スロットマシンにおいては、
前記第２特定状態が、遊技者にとって有利な特定状態（有利ＲＴ）であり、前記第１特定状態が、該第２特定状態よりも遊技者にとって不利な特定状態（不利ＲＴ）である（図１２）ものとしていたが、これとは逆に、
前記第１特定状態が、遊技者にとって有利な特定状態（有利ＲＴ）であり、前記第２特定状態が、該第１特定状態よりも遊技者にとって不利な特定状態（不利ＲＴ）であるものとすることもできる（図６）。
【手続補正１０】
【補正対象書類名】明細書
【補正対象項目名】００１５
【補正方法】変更
【補正の内容】
【００１５】
この場合には、第１特定状態において第２特定条件が成立するのを回避すること（すなわち、遊技者にとって有利な第２特定状態を維持すること）に遊技者を注目させることができる。
【手続補正１１】
【補正対象書類名】明細書
【補正対象項目名】００１６
【補正方法】変更
【補正の内容】
【００１６】
前記第１特定状態が有利な特定状態であり、前記第２特定状態が不利な特定状態である場合において、上記スロットマシンは、
前記特別状態が終了した後に、該特別状態よりも遊技者にとって不利な状態であるが所定の有利条件が成立し得る初期状態（準備モード）に制御する初期状態制御手段（ＣＰＵ１１１（図８））をさらに備えるものとすることができる。この場合において、
前記特定状態制御手段は、前記初期状態において所定の有利条件（特殊出目の導出）が成立したときに、前記第１特定条件の成立として前記第１特定状態に制御し、
前記第２特定条件は、前記初期状態において前記表示結果として所定の不利表示結果（転落リプレイ）が導出されることであり、
前記第２特定条件は、前記特定状態において前記表示結果として前記不利表示結果（転落リプレイ）が導出されることであるものとすることができる。
【手続補正１２】
【補正対象書類名】明細書
【補正対象項目名】００１７
【補正方法】変更
【補正の内容】
【００１７】
この場合、初期状態に制御されているときと遊技者にとって有利な第１特定状態に制御されているときに、表示結果として不利表示結果が導出されることを回避することに遊技者を注目させることができるようになる。
【手続補正１３】
【補正対象書類名】明細書
【補正対象項目名】００１８
【補正方法】変更
【補正の内容】
【００１８】
この場合において、上記スロットマシンにおいて、
前記導出制御手段は、前記事前決定手段により所定の不利決定（通常リプレイ＋転落リプレイ、通常リプレイ＋転落リプレイ＋ＢＡＲリプレイ）が行われていることを条件として前記不利表示結果を導出させるものとすることができる。
ここでは、上記スロットマシンは、
前記初期状態または前記第１特定状態において前記不利決定が行われたときに、該不利決定に基づく前記不利表示結果の導出を回避するための前記導出操作手段の操作態様を特定可能な情報を報知する回避手順報知手段（ＣＰＵ１２１（ステップＳ１１０、Ｓ１１８））をさらに備え、
前記回避手順報知手段は、前記特典付与手段により特典が付与されているときに、該付与されている特典を用いて、前記不利表示結果の導出を回避するための前記導出操作手段の操作態様を特定可能な情報を報知するものとすることができる（ＣＰＵ１２１（ステップＳ１１５））。
【手続補正１４】
【補正対象書類名】明細書
【補正対象項目名】００１９
【補正方法】変更
【補正の内容】
【００１９】
この場合、初期状態に制御されているときと遊技者にとって有利な第１特定状態に制御されているときに、特典が付与されていれば回避手順報知手段による操作態様を特定可能な情報の報知が行われ、不利表示結果が導出されて遊技者にとって不利な第２特定状態に制御されることを避けることができるようになるので、特典の有無により遊技者に生じる利益にメリハリを付けることができる。
【手続補正１５】
【補正対象書類名】明細書
【補正対象項目名】００２０
【補正方法】変更
【補正の内容】
【００２０】
上記スロットマシンにおいて、
前記導出制御手段は、前記事前決定手段により所定の不利決定（通常リプレイ＋転落リプレイ、通常リプレイ＋転落リプレイ＋ＢＡＲリプレイ）が行われていることを条件として所定の不利表示結果（転落リプレイ）を導出させ、
前記第２特定条件は、前記特定状態において前記表示結果として前記不利表示結果が導出されることであるものとすることができる。
ここでは、上記スロットマシンは、
前記第１特定状態において前記不利決定が行われたときに、該不利決定に基づく前記不利表示結果の導出を回避するための前記導出操作手段の操作態様を特定可能な情報を報知する回避手順報知手段（ＣＰＵ１２１（ステップＳ１１０、Ｓ１１８））と、
遊技において所定のポイント付与条件が成立したときに、該成立したポイント付与条件に応じたポイント（ＡＴ権利数）を付与するとともに、新たに付与したポイントを、これまでに付与されていたポイントに対して累積させていくポイント付与手段（ＣＰＵ１２１（ステップＳ１０５、Ｓ１０６））と、
前記ポイント付与手段により累積されているポイントに応じて、前記回避手順報知手段により前記不利表示結果の導出を回避するための前記導出操作手段の操作態様の報知を実行する量を変化させる報知実行変化手段（有利ＲＴにおいて１つのＡＴ権利を用いて、５０ゲームだけＡＴに制御）とをさらに備えるものとすることができる。
【手続補正１６】
【補正対象書類名】明細書
【補正対象項目名】００２１
【補正方法】変更
【補正の内容】
【００２１】
この場合、単にポイントが付与されるかどうかだけではなく、どの程度のポイントが付与されるかにも注目させることができ、遊技の興趣を向上させることができる。また、累積されているポイントに応じて回避手順報知手段により不利状態への制御を避けることができる操作態様を特定可能な情報の報知が行われる量が変わるので、累積されているポイントにより遊技者に生じる利益にメリハリを付けることができる。
なお、前記ポイント付与手段は、前記特典付与手段に含まれるものとすることができ、前記ポイント付与条件は、前記第１特定状態または前記第２特定状態において前記特別状態に制御することを許容する旨が決定されることとすることができる。この場合、特典の有利度は、付与されるポイントに応じて決まるものとすることができる。
【手続補正１７】
【補正対象書類名】明細書
【補正対象項目名】００２３
【補正方法】変更
【補正の内容】
【００２３】
上記スロットマシンにおいては、
前記特典付与手段は、前記第２特定状態に制御されているときにおいて前記特別状態に制御することを許容する旨が決定されたときには、前記第１特定状態に制御されているときにおいて前記特別状態に制御することを許容する旨が決定されたときよりも、有利度が高い特典を遊技者に付与するものとしていたが、
前記特典付与手段は、前記第１特定状態に制御されているときにおいて前記特別状態に制御することを許容する旨が決定されたときには、前記第２特定状態に制御されているときにおいて前記特別状態に制御することを許容する旨が決定されたときよりも、有利度が高い特典を遊技者に付与するものとすることもできる（有利ＲＴの権利の個数の期待値は、不利ＲＴよりも有利ＲＴの方が高い（図９））。
【手続補正１８】
【補正対象書類名】明細書
【補正対象項目名】００２４
【補正方法】変更
【補正の内容】
【００２４】
この場合、第１特定状態において第２特定条件が成立するのを回避することに遊技者を注目させることができる。特に第１特定状態を遊技者にとって有利な特定状態、第２特定状態を遊技者にとって不利な特定状態とした場合には、第２特定条件の成立を回避することに対する遊技者の注目度をより一層高めることができる。一方、第１特定状態を遊技者にとって不利な特定状態、第２特定状態を遊技者にとって有利な特定状態とした場合、第１特定状態において第２特定条件が成立したときでも、必ずしも遊技者を落胆させるばかりでなくても済むものとなる。
【手続補正１９】
【補正対象書類名】明細書
【補正対象項目名】００２５
【補正方法】変更
【補正の内容】
【００２５】
上記スロットマシンにおいては、第１特定状態を遊技者にとって不利な特定状態、第２特定状態を遊技者にとって有利な特定状態としていたが、第１特定状態を遊技者にとって有利な特定状態、第２特定状態を遊技者にとって不利な特定状態とした場合、第１特定状態において第２特定条件が成立したときでも、必ずしも遊技者を落胆させるばかりでなくても済むものとなる。
ものとなる。
【手続補正２０】
【補正対象書類名】明細書
【補正対象項目名】００２６
【補正方法】変更
【補正の内容】
【００２６】
上記スロットマシンは、
所定の許容段階設定操作（設定キースイッチ９２をＯＮ状態で起動、設定スイッチ９１の操作）が行われたことを条件として、前記事前決定手段により入賞表示結果の導出を許容する旨が決定される確率が異なる複数種類の許容段階（設定値１〜６）のうちから、いずれかの許容段階を選択して設定する許容段階設定手段（ＣＰＵ１１１）と、
前記第１特定状態における消化ゲーム数、または前記第２特定状態における消化ゲーム数を計数するゲーム数計数手段（ＣＰＵ１１１、ＲＡＭ１１２のカウンタ）とをさらに備え、
前記特定状態終了手段は、前記第１特定状態または前記第２特定状態の少なくとも一方を、前記ゲーム数計数手段が計数するゲーム数が所定の特定ゲーム数に達したことを条件に終了させるものとしてもよい（５００ゲームの消化により不利ＲＴが終了（図６））。
【手続補正２１】
【補正対象書類名】明細書
【補正対象項目名】００２９
【補正方法】変更
【補正の内容】
【００２９】
前者の場合、正常完了せずに許容段階の設定が行われたゲームは、第１特定状態および／または第２特定状態を終了させるゲーム数として計数されないので、許容段階の設定を利用して遊技店が意図的に状態を変化させてしまうことができなくなる。一方、後者の場合、正常完了せずに許容段階の設定が行われたゲームも、第１特定状態および／または第２特定状態を終了させるゲーム数として計数されることとなるので、遊技者の意志でゲームを開始させても第１特定状態および／または第２特定状態の終了に結びつかないということがなくなり、遊技の公平性を担保することができる。
【手続補正２２】
【補正対象書類名】明細書
【補正対象項目名】００３０
【補正方法】変更
【補正の内容】
【００３０】
上記スロットマシンは、
所定の許容段階設定操作（設定キースイッチ９２をＯＮ状態で起動、設定スイッチ９１の操作）が行われたことを条件として、前記事前決定手段により入賞表示結果の導出を許容する旨が決定される確率が異なる複数種類の許容段階（設定値１〜６）のうちから、いずれかの許容段階を選択して設定する許容段階設定手段（ＣＰＵ１１１）と、
前記特別状態に制御することを許容する旨が決定されたときに、該特別状態に制御されるまで、前記再遊技表示結果の導出を許容する旨が前記事前決定手段により決定される確率を高くする再遊技高確率状態に制御する再遊技高確率状態制御手段（ＣＰＵ１１１：ボーナス当選により内部中ＲＴに制御（図６））と、
前記再遊技高確率状態において１ゲームが開始した後、該ゲームが正常完了するよりも前に前記許容段階設定手段により許容段階の設定が行われたときに、該再遊技高確率状態への制御を維持しつつ、前記特別状態に制御することを許容する旨の決定を取り消す第２再遊技後ゲーム再開手段（開始時においてボーナス当選したゲームが正常に完了するまでの期間で設定値の変更が行われた場合、ボーナス当選フラグを消去する）とをさらに備えるものとしてもよい。
【手続補正２３】
【補正対象書類名】明細書
【補正対象項目名】００３１
【補正方法】変更
【補正の内容】
【００３１】
ここでは、再遊技高確率状態（既に特別状態に制御することを許容する旨が決定されているということになる）において１ゲームが開始した後、該ゲームが正常に完了するよりも前に許容段階の設定が行われると、特別状態に制御することを許容する旨の決定は取り消されるものの、該決定に基づく再遊技高確率状態への制御は維持される。現在の許容段階と異なる許容段階での決定に基づいて特別状態に制御されることはないので、遊技の公平性を担保することができる。一方、再遊技高確率状態はそのままで維持されるので、（特に前日の閉店から開店までの間に）許容段階が設定されたことが遊技者に察知されにくいものとなる。
【手続補正２４】
【補正対象書類名】明細書
【補正対象項目名】００３２
【補正方法】変更
【補正の内容】
【００３２】
この場合において、上記スロットマシンは、
１ゲームが開始して前記特別状態に制御することを許容する旨が決定され、該ゲームが正常完了するよりも前に前記許容段階設定手段により許容段階の設定が行われたときに、該特別状態に制御することを許容する旨の決定に基づく再遊技高確率状態への制御を維持しつつ、前記特別状態に制御することを許容する旨の決定を取り消す特別決定後ゲーム再開手段（開始時においてボーナス当選したゲームが正常に完了するまでの期間で設定値の変更が行われた場合、内部中ＲＴ中フラグはそのまま）をさらに備えるものとすることができる。
【手続補正２５】
【補正対象書類名】明細書
【補正対象項目名】００３３
【補正方法】変更
【補正の内容】
【００３３】
或いは、上記スロットマシンは、
１ゲームが開始して前記特別状態に制御することを許容する旨が決定され、該ゲームが正常完了するよりも前に前記許容段階設定手段により許容段階の設定が行われたときに、該特別状態に制御することを許容する旨の決定に基づく再遊技高確率状態への制御を行わずに、前記特別状態に制御することを許容する旨の決定を取り消す特別決定後ゲーム再開手段（開始時においてボーナス当選したゲームが正常に完了するまでの期間で設定値の変更が行われた場合、内部中ＲＴ中フラグも消去（変形例））をさらに備えるものとすることができる。
【手続補正２６】
【補正対象書類名】明細書
【補正対象項目名】００３４
【補正方法】変更
【補正の内容】
【００３４】
前者の場合は、特別状態に制御することを許容する旨が決定されたゲームが正常に完了するよりも前に許容段階の設定が行われると、特別状態に制御することを許容する旨の決定は取り消されるものの、再遊技高確率状態への制御は維持される。これにより、現在の許容段階と異なる許容段階での決定に基づいて特別状態に制御されることはないので、遊技の公平性を担保することができるとともに、許容段階の設定を利用して遊技店が意図的に再遊技高確率状態まで無効にしてしまうことを防ぐことができる。一方、後者の場合は、特別状態に制御することを許容する旨の決定が取り消されるだけではなく、再遊技高確率状態への制御も行われないものとすることで、現在の許容段階と異なる許容段階での決定に基づいて再遊技高確率状態に制御されることもなくなり、遊技の公平性を担保することができる。
【手続補正２７】
【補正対象書類名】明細書
【補正対象項目名】０１２７
【補正方法】変更
【補正の内容】
【０１２７】
また、準備モード、不利ＲＴ、有利ＲＴ及び内部中ＲＴにおける９択役（１）〜（９）の当選確率は、それぞれ１０００／６５５３６＝１／６５．５３６となっている。９択役（１）〜（９）に当選しているときに、これに入賞させようとしても（不利ＲＴ、有利ＲＴ及び内部中ＲＴでこれを行う）、どれに当選しているか分からなければ、当選確率と同じ１／６５．５３６の確率でしか入賞し得ない。９択役（１）〜（９）の何れに当選しているかが分かり、それに応じて適切に停止ボタン１２Ｌ、１２Ｃ、１２Ｒを操作できたものとすると、９×１０００／６５５３６≒１／７．２８という確率で入賞させることができる。
【手続補正２８】
【補正対象書類名】明細書
【補正対象項目名】０１２８
【補正方法】変更
【補正の内容】
【０１２８】
一方、準備モードでは、９択役（１）〜（９）に当選しても入賞させずに、特殊出目を導出させる方が有利ＲＴに制御されるので遊技者にとって有利なものとなる。準備モードにおいて９択役（１）〜（９）の当選が報知されることはないが、９択役（１）〜（９）の何れに当選しているかが分からなくても、８×１０００／６５５３６≒１／８．１９の確率で特殊出目を導出させることができる。
【手続補正２９】
【補正対象書類名】明細書
【補正対象項目名】０２０３
【補正方法】変更
【補正の内容】
【０２０３】
また、設定値を変更することによって遊技制御基板１０１のＲＡＭ１１２が初期化されるが、リールモータ３ＭＬ、３ＭＣ、３ＭＲをそれぞれ構成するステッピングモータのステップ数をカウントするためのカウンタの値は初期化されない。このため、設定値の変更後においてもＣＰＵ１１１が把握するリールモータ３ＭＬ、３ＭＣ、３ＭＲをそれぞれ構成するステッピングモータのステップ数（ＲＡＭ１１２のカウンタでカウントされているステップ数）が実際のステップ数と異なることがなく、パルス信号の励磁相が異なってリール３Ｌ、３Ｃ、３Ｒが滑らかに回転開始できずに設定値の変更がされていることが遊技者に察知されてしまうということを防ぐことができる。
【手続補正３０】
【補正対象書類名】明細書
【補正対象項目名】０２０５
【補正方法】変更
【補正の内容】
【０２０５】
また、外部出力基板１０５は、スタートレバー１１の操作時にまとめてメダルＩＮ信号を出力するものとしている。賭け数として設定するメダルの投入の度にメダルＩＮ信号を出力するものとした場合には、精算ボタン１６の操作により既に設定した賭け数がキャンセルされると、出力したメダルＩＮ信号の取り消しが必要となってしまう。また、１枚ＢＥＴボタン１４またはＭＡＸＢＥＴボタン１５の操作によりクレジットから賭け数を設定した場合と、メダル投入口１３からメダルの現物を投入して賭け数を設定した場合とで、メダルＩＮ信号を出力するためのプログラムが別々に必要になってしまう。この実施の形態にかかるスロットマシン１のようにスタートレバー１１の操作時にまとめてメダルＩＮ信号を出力することで、このような不都合が生じるのを防ぐことができる。
【手続補正３１】
【補正対象書類名】明細書
【補正対象項目名】０２５０
【補正方法】変更
【補正の内容】
【０２５０】
上記の実施の形態では、設定値を変更することによって遊技制御基板１０１のＲＡＭ１１２が初期化されるが、リールモータ３ＭＬ、３ＭＣ、３ＭＲをそれぞれ構成するステッピングモータのステップ数をカウントするためのカウンタの値だけは初期化されないものとしていた。これにより、設定値の変更後においてリール３Ｌ、３Ｃ、３Ｒが滑らかに回転開始できずに設定値の変更がされていることが遊技者に察知されてしまうということを防ぐものとしていた。